(57)【要約】      （修正有）【課題】持ち運びが容易で、装着が容易で、安価に製作でき、姿勢の矯正が容易で、かつ優雅なダンス練習ができる、姿勢矯正具を提供する。【解決手段】頸部に装着して頭の前傾を矯正する頭位置矯正具２であって、顎と鎖骨の間にはめ込まれる、顎の下に当接する顎受部４、左右の鎖骨の上に当接する鎖骨受部６、およびこれらをつなぐ連結部８ａ，８ｂを有したフレーム１０と、一端がフレームに取付けられ、はめ込んだフレームを、頸部に後ろから着脱可能に保持する弾性材からなるホルダー１２を備える。【選択図】図１
0003193526.tif 000002
【実用新案登録請求の範囲】
【請求項１】
頸部に装着して頭の前傾を矯正する頭位置矯正具であって、
顎と鎖骨の間にはめ込まれる、顎の下に当接する顎受部、左右の鎖骨の上に当接する鎖骨受部、およびこれらをつなぐ連結部を有したフレームと、
はめ込んだフレームを、頸部に着脱を可能に保持するホルダーと、を備えている、
ことを特徴とする頭位置矯正具。
【請求項２】
フレームが、剛性を有する棒状材によって形成され、
顎受部および鎖骨受部が半円状を成し、鎖骨受部の半円状の両端部がそれぞれ左右の鎖骨の上に位置し、連結部によってそれぞれの半円状の両端部がつながっている、
ことを特徴とする請求項１記載の頭位置矯正具。
【請求項３】
ホルダーが、一端がフレームに取付けられ頸部に後ろから弾性を有して当接する弾性材により形成されている、
ことを特徴とする請求項１記載の頭位置矯正具。
【請求項４】
連結部が、顎受部と鎖骨受部の上下方向高さを調整可能に形成されている、
ことを特徴とする請求項１から３までのいずれかに記載の頭位置矯正具。
【考案の詳細な説明】
【技術分野】
【０００１】
本考案は、頸部に装着して、社交ダンスを踊る際の頭の前傾を防ぎ、背筋を伸ばし良い姿勢を保つことができる、頭位置矯正具に関する。
【背景技術】
【０００２】
社交ダンスを正しい姿勢で踊るための種々の姿勢矯正具が考案されている。
（１）背筋を真直ぐにして、背中を平らに矯正するための、姿勢矯正バベルト（例えば、特許文献１参照）。
（２）背筋、首筋を垂直に矯正して、猫背、前傾姿勢状態でダンスをするのを矯正するための、姿勢矯正器（例えば、特許文献２参照）。
【先行技術文献】
【特許文献】
【０００３】
【特許文献１】実用新案登録第３１５４０７５号公報
【特許文献２】実公平２−２２２０８号公報
【考案の概要】
【考案が解決しようとする課題】
【０００４】
上記の従来の矯正具には、次のような改善の望まれている課題がある。
【０００５】
（１）大型で持ち運びに不便である。
（２）装着状態では両腕も規制され自由に動けず、長時間の使用が困難かつ装着が面倒である。
（３）比較的高価である。
（４）頭から腰まで背筋を垂直に紐等で固定しようとしても、練習中の前傾姿勢を規制するのは困難である。
（５）頭から腰まで背筋が垂直に規制されるので正しい優雅なダンス練習が困難である。
【０００６】
本考案は上記事実に鑑みてなされたもので、その技術的課題は、持ち運びが容易で、装着が容易で、安価に製作でき、姿勢の矯正が容易で、かつ優雅なダンス練習ができる、姿勢矯正具を提供することである。
【課題を解決するための手段】
【０００７】
本考案者は、頭の前傾を矯正することにより背筋を伸ばし、猫背を防止できることに着目し、鋭意検討、試用の結果、頸部に装着することにより従来の問題を解決することができる頭位置矯正具を開発した。
【０００８】
本考案によれば上記技術的課題を解決する、頸部に装着して頭の前傾を矯正する頭位置矯正具として、顎と鎖骨の間にはめ込まれる、顎の下に当接する顎受部、左右の鎖骨の上に当接する鎖骨受部、およびこれらをつなぐ連結部を有したフレームと、はめ込んだフレームを、頸部に着脱を可能に保持するホルダーと、を備えている、ことを特徴とする頭位置矯正具が提供される。
【０００９】
好適には、フレームは、剛性を有する棒状材によって形成され、顎受部および鎖骨受部が半円状を成し、鎖骨受部の半円状の両端部がそれぞれ左右の鎖骨の上に位置し、連結部によってそれぞれの半円状の両端部がつながっている。
【００１０】
また、ホルダーは、一端がフレームに取付けられ頸部に後ろから弾性を有して当接する弾性材により形成されている。
【００１１】
他の形態においては、連結部が、顎受部と鎖骨受部の上下方向高さを調整可能に形成されている。
【考案の効果】
【００１２】
本考案に従って構成された頭位置矯正具は、顎と鎖骨の間にはめ込まれるフレームと、はめ込んだフレームを、頸部に着脱を可能に保持するホルダーを備えている。
【００１３】
したがって、顎と鎖骨間にフレームを装着することにより、頭の前傾が防がれ、背筋を垂直にしてダンスを踊らざるを得ず、これが正しい姿勢に矯正される。また、従来の姿勢矯正具に比べて、非常にコンパクトで、持ち運びが簡単であり、安価に製作できる。さらに、装着は頸部のみであり、着脱も容易であり、装着状態で長時間の練習また休憩も可能であり、本番のダンス時にも使用可能であり、装着していても外観が目立たない。
【００１４】
すなわち、持ち運びが容易で、装着が容易で、安価に製作でき、姿勢の矯正が容易で、かつ優雅なダンス練習ができる、姿勢矯正具を提供できる。
【図面の簡単な説明】
【００１５】
【図１】本考案に係る頭位置矯正具の好適実施形態の全体斜視図。
【図２】図１の矢印Ａ方向に見た側面図。
【図３】図１の矢印Ｂ方向に見た平面図。
【図４】図１の矢印Ｃ方向に見た正面図。
【図５】図１に示す頭位置矯正具の装着状態の図。
【図６】他の形態のホルダーを備えた頭位置矯正具の側面図。
【図７】図６の平面図。
【図８】図６の正面図。
【図９】連結部の他の形態の正面図（図１の矢印Ｃ方向の図に相当）。
【図１０】図９の側面図（図１の矢印Ａ方向の図に相当）。
【考案を実施するための形態】
【００１６】
以下、本考案に従って構成された頭位置矯正具について、好適実施形態を図示している添付図面を参照して、さらに詳細に説明する。
【００１７】
図１を参照して説明する。全体を番号２で示す頭位置矯正具は、顎と鎖骨の間にはめ込まれる（装着状態については後に図５によって説明する）、顎の下に当接する顎受部４、左右の鎖骨の上に当接する鎖骨受部６、これらをつなぐ連結部８ａ、８ｂを有したフレーム１０と、顎と鎖骨の間にはめ込んだフレーム１０を、頸部に着脱を可能に保持するホルダー１２を備えている。
【００１８】
図１とともに図２〜図４を参照して説明する。フレーム１０は、剛性を有する棒状材である丸棒鋼によって形成され、顎受部４、鎖骨受部６、連結部８ａ、８ｂは、１本の丸棒鋼を曲げ成形して一体に形成されている。
【００１９】
顎受部４は平面視（図３）で半円状に顎の下面を支えるように形成され、鎖骨受部６は平面視（図３）でほぼ類似の半円状に、そしてその半円状の両端部が左右の鎖骨それぞれの上に位置するように形成されている。
【００２０】
連結部８ａ、８ｂは側面視（図２）で略垂直に伸び、顎受部４、鎖骨受部６それぞれの半円状の両端部を折り曲げて、つないでいる。一本の丸棒鋼は、鎖骨受部６において重ねられ（図４）、始点終点は連結部８ａ、８ｂの近くに位置し、溶接接合されている。
【００２１】
顎受部４および鎖骨受部６はそれぞれ、頭の前傾を矯正し、背筋を伸ばし、猫背を防止するように、側面視（図２）においてそれぞれ上方および下方に、角度θで（実施例は２０°）傾けられている。
【００２２】
このフレーム１０は、ゴムチューブあるいは熱収縮性ビニールチューブ等で被覆されているのが好ましい。
【００２３】
図１〜図４を参照して説明を続ける。ホルダー１２は、一端がフレーム１０に取付けられ頸部に後ろから弾性を有して当接する弾性材であるばね鋼線１本を、曲げ成形して形成されている。
【００２４】
すなわち、フレーム１０に取付けられる端は、一方の連結部８ｂを巻く螺旋状に形成され、螺旋の下端は鎖骨受部６の端部に沿って伸び溶接接合されている。螺旋状の上端は、斜め上方に伸び、頸の後部を覆うように、平面視（図３）でＣ字状に、また正面視（図４）で細長略矩形の環状に形成されている。
【００２５】
ばね鋼製のホルダー１２は、図３を参照して説明すると、装着状態で頸部に後ろから当接するフレーム１０側に位置し（実線で示す）、頸部への着脱の際は螺旋部を中心に開閉自在に拡げられる（二点鎖線で示す）。
【００２６】
図５に、頭位置矯正具２の頸部への装着状態を示す。頭位置矯正具２は、フレーム１０の顎受部４および鎖骨受部６が、顎と鎖骨の間にはめ込まれ、開閉自在なホルダー１２によって頸部に着脱を可能に保持される。なお図５においては、フレーム１０、ホルダー１２の一部（黒塗り部分）はビニールチューブによって被覆されている。
【００２７】
ホルダーの他の形態について図６〜８を参照して説明する。このホルダー１４ａ、１４ｂは、フレーム１０の連結部８ａ、８ｂそれぞれに装着した両持ち式である。すなわち、前述のホルダー１２と同様にばね鋼線で形成され、その矩形環状部を小形にした一対のホルダー１４ａ、１４ｂを対称に一対の連結部８ａ、８ｂそれぞれに取付けたものである。
【００２８】
ホルダー１４ａ、１４ｂは、頸部に装着状態で後ろから当接する、フレーム１０の側に位置し（図７に実線で示す）、頸部への着脱の際は開閉自在に螺旋部を中心に拡げられる（図７に二点鎖線で示す）。この両持ち式のホルダー１４ａ、１４ｂによればフレーム１０を確実に頸部に左右からバランスよく保持することができる。
【００２９】
図９、図１０を参照して、上述のフレーム１０の連結部８ａ、８ｂの他の形態について説明する。図示のフレーム１１の顎受部５および鎖骨受部７をつなぐ連結部９ａ、９ｂは顎受部５および鎖骨受部７の上下方向高さＨの調整を可能に形成されている。
【００３０】
鎖骨受部７は中空丸棒鋼（パイプ）を曲げ成形して、また顎受部５は中実丸棒鋼を曲げ成形して別体に形成され、顎受部５の端部が連結部９ａ、９ｂにおいて鎖骨受部７に出し入れ自在にはめ込まれている。鎖骨受部７の一対の端部それぞれの外側には、パイプ内に貫通する雌ねじを有したボス９ｃが接合されている。
【００３１】
連結部９ａ、９ｂには、このボス９ｃの雌ねじに螺合する蝶ボルト１６、およびロックナット１７が備えられている。顎受部５および鎖骨受部７の調整した上下方向高さＨをこの蝶ボルト１６によって固定し、その緩みをロックナット１７によって防止する。
【００３２】
一度高さＨを調節すれば、通常、以降は調節不要になるため、蝶ボルト１６はボルト（ビス）のみでも可である。
【００３３】
なおフレーム１１のホルダーとしては、鎖骨受部７に前述のホルダー１２あるいはホルダー１４ａ、１４ｂを取付ければよい（図９、図１０はホルダー１２）。
【００３４】
主として図１および図５を参照して、上述したとおりの頭位置矯正具２の作用効果について説明する。
【００３５】
本考案の請求項１に従って構成された頭位置矯正具２は、顎と鎖骨の間にはめ込まれるフレーム１０と、はめ込んだフレーム１０を、頸部に着脱を可能に保持するホルダー１２を備えている。したがって、
【００３６】
（１）顎と鎖骨間にフレーム１０を装着することにより、頭の前傾が矯正され、背筋を垂直にしてダンスを踊らざるを得ず、これが正しい姿勢に矯正される。
【００３７】
（２）従来の姿勢矯正具に比べて、非常にコンパクトであり、持ち運びが簡単であり、また安価に製作できる。
【００３８】
（３）着脱は頸部後部にまわるホルダー１２により瞬時に可能であり、また装着状態で長時間の練習、休憩も可能であり、本番のダンス時にも使用可能であり、装着していても外観が目立たない。
【００３９】
（４）通常、ダンスにおいて前進後進するとき、前かがみ状態になり気味になる（老齢になると特に）。理想の姿勢は背中が真平らに垂直で大幅に踊ることが競技ダンスに置いては特に求められ、評価されるので、頭の前傾を矯正する頭位置矯正具２は有効である。
【００４０】
（５）頭位置矯正具２を装着してダンス練習をすることにより、自然に正しい姿勢でしかダンスができなくなり、外しても正しい姿勢に矯正される。
【００４１】
（６）装着してダンスをすることにより、頭を下向きにしたダンスは矯正され、顔を上向きにしてダンスをすることにより、首を長く、肩を落とし背筋も自然に垂直になった姿勢となり、猫背でダンスをすることが自然になくなる。
【００４２】
本考案の請求項２に従って構成された頭位置矯正具２は、フレーム１０が、剛性を有する棒状材によって形成され、顎受部４および鎖骨受部６は半円状を成し、鎖骨受部６の半円状の両端部がそれぞれ左右の鎖骨の上に位置し、連結部８ａ、８ｂによってそれぞれの半円状の両端部がつながっている。
【００４３】
したがって、フレーム１０は棒状材によって製作されるので、非常にコンパクトで、持ち運びが簡単であり、装着しても目立たない。また顎受部４は半円状に形成されているので、顔の左右方向変換が容易である。
【００４４】
本考案の請求項３に従って構成された頭位置矯正具２のホルダー１２、１４ａ、１４ｂは、一端がフレーム１０に取付けられ頸部に後ろから弾性を有して当接する弾性材により形成されている。
【００４５】
したがって、頸部への着脱は瞬時に着脱が可能で、装着状態での長時間の練習、休憩も可能である。さらに、本番のダンス時にも使用可能であり、装着していても外観が目立たない。
【００４６】
本考案の請求項４に従って構成された頭位置矯正具２の連結部９ａ、９ｂ（図９〜図１１）は、顎受部５と鎖骨受部７の上下方向高さＨが調整可能に形成されている。
【００４７】
したがって、着用する人に合わせて顎と鎖骨の関係を適切に調整することができる。
【００４８】
以上、本考案を実施例に基づいて詳細に説明したが、本考案は上記の実施例に限定されるものではなく、例えば下記のように、本考案の範囲内においてさまざまな変形あるいは修正ができるものである。
【００４９】
本考案の実施例においては、顎受部４、鎖骨受部６および連結部８ａ、８ｂを有するフレーム１０は、剛性を有する棒状材としての丸棒鋼によって形成されているが、樹脂成型品によって、あるいは心金を入れたゴム成型品によって形成してもよい。樹脂成形品あるいはゴム成形品とすることにより、顎、鎖骨の部分に加わる負担（面圧）を小さくする形状にできる。
【００５０】
本考案の実施例においては、フレーム１０を頸部に着脱を可能に保持するホルダー１２は、一端がフレーム１０に取付けられ頸部に後ろから弾性を有して当接する弾性材としてのばね鋼線によって形成されているが、伸縮するゴム紐、あるいは樹脂製の伸縮するカールコード等をフックによってフレーム１０に取付けたフック式でもよい。
【００５１】
本考案の実施例における、顎受部５と鎖骨受部７の上下方向高さＨを調整可能にした連結部９ａ、９ｂ（図９）は、中空丸棒の中に中実丸棒を出し入れ自在にはめ込んで形成されているが、顎受部側と鎖骨受部側の丸棒端に雄ねじを形成し、端それぞれを中空雌ねじ部材で連結したターンバックル式にして、両者の間隔を接近あるいは離反させるようにしてもよい。
【００５２】
本考案に係る頭位置矯正具２は、社交ダンス用の矯正具として有効であるが、頭位置の前傾を矯正する医療用具としても用いることができる。
【符号の説明】
【００５３】
２：頭位置矯正具
４：顎受部
５：顎受部
６：鎖骨受部
７：鎖骨受部
８ａ、８ｂ：連結部
９ａ、９ｂ：連結部
１０：フレーム
１１：フレーム
１２：ホルダー
１４ａ、１４ｂ：ホルダー
１６：蝶ボルト
【図１】
0003193526.tif 000003
【図２】
0003193526.tif 000004
【図３】
0003193526.tif 000005
【図４】
0003193526.tif 000006
【図５】
0003193526.tif 000007
【図６】
0003193526.tif 000008
【図７】
0003193526.tif 000009
【図８】
0003193526.tif 000010
【図９】
0003193526.tif 000011
【図１０】
0003193526.tif 000012